(57)【要約】【課題】回路の規模を大きくすることなく、測光エリアにおける映像レベルの急激な変化が出力される映像に反映されるのを回避する。【解決手段】映像の映像レベルを調整するに際し、映像中の特定のエリア内の映像レベルを調整する映像レベル調整装置であって、映像を構成する画素のうち、特定のエリアと、特定のエリア以外のエリアとの境界線を含む境界部分に存在する画素の中から、輝度を測定する測光画素を決定し、決定された測光画素の数である測光画素数と、決定された測光画素の映像信号値の加算合計値である映像信号加算値とに基づいて特定のエリア内の映像レベルを調整する。【選択図】図２
2010166500.tif 000002
【特許請求の範囲】
【請求項１】
映像の映像レベルを調整するに際し、該映像中の特定のエリア内の映像レベルを調整する映像レベル調整装置であって、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する映像レベル調整装置。
【請求項２】
請求項１に記載の映像レベル調整装置において、
前記境界部分に存在する画素に対し、前記測光画素の数と前記測光画素以外の画素の数とを前記特定のエリアからの距離に応じて徐々に変化させるディザ処理を用いて前記測光画素を決定する映像レベル調整装置。
【請求項３】
請求項２に記載の映像レベル調整装置において、
前記特定のエリアの範囲を示す測光エリア情報に基づき、前記境界部分に存在する画素に対し、前記測光画素の数と前記測光画素以外の画素の数とを前記特定のエリアからの距離に応じて徐々に変化させるための測光ゲート信号を出力する測光ゲート信号生成部と、
前記測光ゲート信号生成部から出力された前記測光ゲート信号に基づいて前記測光画素を決定し、該決定された測光画素の前記測光画素数及び前記映像信号加算値を算出して出力する加算部と、
前記加算部から出力された前記測光画素数及び前記映像信号加算値に基づき、前記特定のエリア内の映像レベルを調整するための映像レベル調整値を算出して出力する制御部と、
前記制御部から出力された前記映像レベル調整値に応じ、入力された前記特定のエリア内の映像に基づく映像信号の映像レベルを調整する映像レベル調整部と、を有する映像レベル調整装置。
【請求項４】
請求項３に記載の映像レベル調整装置において、
前記制御部は、前記測光画素数及び前記映像信号加算値から前記特定のエリア内の映像信号の平均値を算出し、該算出された平均値が所定の値と一致するように前記映像レベル調整値を設定する映像レベル調整装置。
【請求項５】
映像の映像レベルを調整するに際し、該映像中の特定のエリア内の映像レベルを調整する映像レベル調整装置における映像レベル調整方法であって、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する処理を有する映像レベル調整方法。
【請求項６】
請求項５に記載の映像レベル調整方法において、
前記境界部分に存在する画素に対し、前記測光画素の数と前記測光画素以外の画素の数とを前記特定のエリアからの距離に応じて徐々に変化させるディザ処理を用いて前記測光画素を決定する処理を有する映像レベル調整方法。
【請求項７】
請求項６に記載の映像レベル調整方法において、
前記特定のエリアの範囲を示す測光エリア情報に基づき、前記境界部分に存在する画素に対し、前記測光画素の数と前記測光画素以外の画素の数とを前記特定のエリアからの距離に応じて徐々に変化させるための測光ゲート信号を発生させる処理と、
前記発生させた測光ゲート信号に基づいて前記測光画素を決定し、該決定された測光画素の前記測光画素数及び前記映像信号加算値を算出する処理と、
前記算出された前記測光画素数及び前記映像信号加算値に基づき、前記特定のエリア内の映像レベルを調整するための映像レベル調整値を算出する処理と、
前記算出された映像レベル調整値に応じ、入力された前記特定のエリア内の映像に基づく映像信号の映像レベルを調整する処理と、を有する映像レベル調整方法。
【請求項８】
請求項７に記載の映像レベル調整方法において、
前記測光画素数及び前記映像信号加算値から前記特定のエリア内の映像信号の平均値を算出し、該算出された平均値が所定の値と一致するように前記映像レベル調整値を設定する処理を有する映像レベル調整方法。
【請求項９】
映像の映像レベルを調整するに際し、該映像中の特定のエリア内の映像レベルを調整する映像レベル調整装置に、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する機能を実現させるためのプログラム。
【請求項１０】
請求項９に記載のプログラムにおいて、
前記境界部分に存在する画素に対し、前記測光画素の数と前記測光画素以外の画素の数とを前記特定のエリアからの距離に応じて徐々に変化させるディザ処理を用いて前記測光画素を決定する機能を実現させるためのプログラム。
【請求項１１】
請求項１０に記載のプログラムにおいて、
前記特定のエリアの範囲を示す測光エリア情報に基づき、前記境界部分に存在する画素に対し、前記測光画素の数と前記測光画素以外の画素の数とを前記特定のエリアからの距離に応じて徐々に変化させるための測光ゲート信号を発生させる機能と、
前記発生させた測光ゲート信号に基づいて前記測光画素を決定し、該決定された測光画素の前記測光画素数及び前記映像信号加算値を算出する機能と、
前記算出された前記測光画素数及び前記映像信号加算値に基づき、前記特定のエリア内の映像レベルを調整するための映像レベル調整値を算出する機能と、
前記算出された映像レベル調整値に応じ、入力された前記特定のエリア内の映像に基づく映像信号の映像レベルを調整する機能と、を実現させるためのプログラム。
【請求項１２】
請求項１１に記載のプログラムにおいて、
前記測光画素数及び前記映像信号加算値から前記特定のエリア内の映像信号の平均値を算出し、該算出された平均値が所定の値と一致するように前記映像レベル調整値を設定する機能を実現させるためのプログラム。
【発明の詳細な説明】
【技術分野】
【０００１】
本発明は、測光エリアが設けられた映像レベル調整装置、映像レベル調整方法及びプログラムに関する。
【背景技術】
【０００２】
一般に、テレビカメラでは、入力された映像に基づく映像信号の映像レベルを検出してレンズの絞りや回路ゲインを調整することにより、適切な映像レベルの維持を行っている。このとき、テレビカメラでは、検出した映像レベルの平均値を所定の値と一致するように調整するため、例えば、テレビカメラで撮像ができる撮像領域内に高輝度の被写体が含まれていると、撮像領域内のうち着目したい部分の映像レベルが適切な値にならないことがある。
【０００３】
そこで、テレビカメラでは、撮像領域内のうち着目したい部分のみの映像に基づく映像信号の映像レベルを検出し、その映像レベルを調整できるように、映像を構成する画素の輝度を測定する範囲である測光エリアを撮像領域内に設けられるようにしている。この場合、この測光エリア内の映像に基づく映像信号値の平均値が所定の値と一致するように映像レベルが調整される。
【０００４】
この測光エリアを利用した撮像では、測光エリア内にある被写体の輝度に応じ、露出を変更することが求められるが、この露出の変更を自動的に行えるようにする技術が例えば特許文献１に開示されている。
【０００５】
特許文献１に開示されている技術では、映像信号から測光エリア内の露出状態を検出し、その検出した結果に基づいて露出状態が補正される。また、露出状態を検出した測光エリア内の被写体が移動したことを検知すると、一度検出した露出状態が自動的に解除される。
【０００６】
ここで、測光エリアと、撮像領域内の測光エリア以外のエリアであるマスクエリアとの境界線を越えて、マスクエリアから測光エリアへ高輝度や低輝度の被写体が移動してきた場合、測光エリア内の映像に基づく映像信号の映像レベルが急激に変化する。
【０００７】
図５は、テレビカメラの撮像領域内における測光エリアとマスクエリアとの境界部分の一例を示す図である。
【０００８】
図５に示す例では、例えば、高輝度の被写体がマスクエリア１５２から測光エリア１５１へ移動してくると、テレビカメラは、測光エリア１５１内の映像レベルを低下させるように動作する。特に、測光エリア１５１へ移動してきた高輝度の被写体の映像に基づく映像信号値と、高輝度の被写体が測光エリア１５１に移動してくる前の測光エリア１５１内の映像信号値の平均値との差が大きいと、測光エリア１５１内の映像レベルが急激に低下してしまい、出力される映像が見づらくなる。
【０００９】
これは、図５に示すように測光エリア１５１とマスクエリア１５２とがそれらの境界線１５３によって区分されていることにより、輝度を測定するための測光が行われる測光画素と測光画素以外の画素との境界が明確に分割されているためである。
【００１０】
このような映像レベルの急激な変化を回避するためには、測光エリア１５１とマスクエリア１５２とをそれらの境界線１５３によって完全には区分せず、測光画素と測光画素以外の画素に関し、測光エリア１５１とマスクエリア１５２との境界線１５３を含む境界部分を連続的で滑らかにする必要がある。
【００１１】
図６は、テレビカメラの撮像領域内における測光エリアとマスクエリアとの境界部分の他の例を示す図である。
【００１２】
図６に示す例では、測光エリア１５１とマスクエリア１５２とがそれらの境界線１５３によって完全には区分されていない。この場合、測光エリア１５１とマスクエリア１５２との境界線１５３を含む境界部分１５４の画素は、後述する測光係数に応じて段階的に測光される。つまり、測光エリア１５１とマスクエリア１５２との境界線１５３が連続的で滑らかになっている。これにより、マスクエリア１５２から測光エリア１５１へ高輝度の被写体が移動してきても、測光エリア１５１内において、映像レベルが連続的に変化するようになり、映像レベルの急激な変化が出力される映像に反映されるのを回避することができる。
【先行技術文献】
【特許文献】
【００１３】
【特許文献１】特開平８−２７９９５６号公報
【発明の概要】
【発明が解決しようとする課題】
【００１４】
上述したように、測光エリア１５１とマスクエリア１５２との境界線１５３を連続的で滑らかにするためには、境界部分１５４の画素が、測光係数に応じて段階的に測光されるようにする必要がある。具体的には、「測光する」を「１」と表し、「測光しない」を「０」と表す場合に、境界部分１５４の画素について、「測光する」に含める比率として０〜１の連続的な値で表される測光係数を割り付ける。そして、それぞれの測光係数と対応する画素の映像信号値との乗算を画素毎に行う。そして、画素毎に行った乗算の結果を合計した映像信号加算値に基づいて映像レベルを調整することにより、測光エリア１５１内における映像レベルの急激な変化が出力される映像に反映されるのを回避することができる。
【００１５】
図７は、映像信号加算値を算出する過程を説明するための図である。
【００１６】
図７においてＶ0〜Ｖ20は、境界部分１５４内に存在するそれぞれの画素の映像信号値である。
【００１７】
図７に示す例では、境界部分１５４内のそれぞれの画素の映像信号値Ｖ0〜Ｖ20と、０〜１の連続的な値で表され、映像信号値Ｖ0〜Ｖ20のそれぞれに対応する測光係数との乗算が行われる。そして、それぞれの乗算の結果の合計が映像信号加算値となる。
【００１８】
この場合、映像信号加算値を乗算を用いて算出するため、乗算回路が必要となり、回路の規模が大きくなるという問題点がある。
【００１９】
本発明は、回路の規模を大きくすることなく、測光エリアにおける映像レベルの急激な変化が出力される映像に反映されるのを回避することができる映像レベル調整装置、映像レベル調整方法及びプログラムを提供することを目的とする。
【課題を解決するための手段】
【００２０】
上記目的を達成するために本発明は、
映像の映像レベルを調整するに際し、該映像中の特定のエリア内の映像レベルを調整する映像レベル調整装置であって、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する。
【００２１】
また、映像の映像レベルを調整するに際し、該映像中の特定のエリア内の映像レベルを調整する映像レベル調整装置における映像レベル調整方法であって、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する処理を有する。
【００２２】
また、映像の映像レベルを調整するに際し、該映像中の特定のエリア内の映像レベルを調整する映像レベル調整装置に、
前記映像を構成する画素のうち、前記特定のエリアと、該特定のエリア以外のエリアとの境界線を含む境界部分に存在する画素の中から、輝度を測定する測光画素を決定し、該決定された測光画素の数である測光画素数と、前記測光画素の映像信号値の加算合計値である映像信号加算値とに基づいて前記特定のエリア内の映像レベルを調整する機能を実現させる。
【発明の効果】
【００２３】
本発明によれば、特定のエリアと特定のエリア以外のエリアとの境界線を含む境界部分に存在する画素の中から、輝度を測定する測光画素を決定し、決定された測光画素の数である測光画素数と、決定された測光画素の映像信号値の加算合計値である映像信号加算値とに基づいて特定のエリア内の映像レベルを調整する。そのため、映像レベルの調整のための乗算回路が不要であり、回路の規模を大きくすることなく、特定のエリアにおける映像レベルの急激な変化が出力される映像に反映されるのを回避することができる。
【図面の簡単な説明】
【００２４】
【図１】本発明を適用した実施の一形態であるテレビカメラの構成を示すブロック図である。
【図２】図１に示したテレビカメラの撮像領域を示しており、測光ゲート信号生成部が施すディザ処理を説明するための図である。
【図３】図１に示したテレビカメラにおいて映像レベルを調整する動作を説明するためのフローチャートである。
【図４】図１に示した加算部が映像信号加算値及び測光画素数を算出する過程の一例を説明するための図である。
【図５】テレビカメラの撮像領域内における測光エリアとマスクエリアとの境界部分の一例を示す図である。
【図６】テレビカメラの撮像領域内における測光エリアとマスクエリアとの境界部分の他の例を示す図である。
【図７】映像信号加算値を算出する過程を説明するための図である。
【発明を実施するための形態】
【００２５】
以下に、本発明の実施の形態について図面を参照して説明する。
【００２６】
図１は、本発明の映像レベル調整装置の実施の一形態を示す図であり、テレビカメラの構成の一例を示すブロック図である。
【００２７】
本実施形態のテレビカメラは図１に示すように、映像入力部１と、映像レベル調整部２と、ＬＰＦ（Ｌｏｗ  Ｐａｓｓ  Ｆｉｌｔｅｒ）３と、制御部４と、同期信号発生部５と、測光ゲート信号生成部６と、加算部７とを備えている。また、図１に示す各部間において各種信号の送受信が行われるが、その各種信号については、以下に示す各部の説明の中で説明する。また、以降、本実施形態のテレビカメラの撮像領域に入力される映像の中の特定のエリアのことを測光エリアといい、撮像領域内で測光エリア以外のエリアのことをマスクエリアいう。
【００２８】
測光ゲート信号生成部６は、制御部４から出力され、測光エリアの範囲を示す測光エリア情報１０７と、同期信号発生部５から出力された同期信号１０９とに基づき、測光エリアとマスクエリアとの境界線を含む境界部分にディザ処理を施して測光ゲート信号１０８を発生させる。そして、発生させた測光ゲート信号１０８を加算部７へ出力する。なお、ディザ処理とは、一般的には、グレーや中間色の濃淡を細かい点の集合で表現する処理のことをいう。本実施形態においては、測光エリアとマスクエリアとの境界線を含む境界部分の画素に対し、輝度を測定するための測光が行われる測光画素の数と測光画素以外の画素の数とを測光エリアからの距離に応じて徐々に変化させる処理のことをいう。
【００２９】
図２は、図１に示した測光ゲート信号生成部６が施すディザ処理を説明するための図であり、図１に示すテレビカメラの撮像領域を示している。
【００３０】
図２において、図中右にある拡大図で測光エリア５１とマスクエリア５２との境界線５３を含む境界部分５４では、測光画素が白い四角形で描かれ、測光画素以外の画素が黒い四角形で描かれている。このように、境界部分５４にディザ処理を施すことにより、測光エリア５１とマスクエリア５２とが完全には区分されず、境界部分５４が連続的で滑らかになる。
【００３１】
加算部７は、同期信号発生部５から出力された同期信号１０９と、測光ゲート信号生成部６から出力された測光ゲート信号１０８とに基づき、境界部分５４（図２参照）に存在する画素の中から、測光画素を決定する。そして、測光画素に対応する映像信号値の合計値である映像信号加算値１０５と、測光画素の数である測光画素数１０６とを１画面毎に算出する。そして、加算部７は、算出した１画面毎の映像信号加算値１０５及び測光画素数１０６を制御部４へ出力する。なお、加算部７が映像信号加算値１０５及び測光画素数１０６を算出する過程については、後述する動作フローで説明する。
【００３２】
制御部４は、測光エリア情報１０７を測光ゲート信号生成部６へ出力する。また、制御部４は、加算部７から出力された１画面毎の映像信号加算値１０５及び測光画素数１０６に基づいて１画面毎の映像信号の平均値である画面平均値を算出し、算出した画面平均値が所定の値と一致するように映像レベルを調整するための映像レベル調整値１０４を設定する。そして、設定した映像レベル調整値１０４を映像レベル調整部２へ出力する。
【００３３】
映像入力部１は、映像を取り込んで、取り込んだ映像に基づいた映像信号１０１を映像レベル調整部２へ出力する。なお、ここでは、映像信号１０１はデジタル信号である。
【００３４】
映像レベル調整部２は、映像入力部１から出力された映像信号１０１の映像レベルを、制御部４が設定した映像レベル調整値１０４に応じて調整する。そして、調整された映像信号１０１をレベル調整後映像信号１０２としてＬＰＦ３へ出力する。
【００３５】
ＬＰＦ３は、映像レベル調整部２から出力されたレベル調整後映像信号１０２から、測光ゲート信号生成部６が発生させる測光ゲート信号１０８のクロックレート以上の周波数に相当する映像高周波成分を除去する。そして、映像高周波成分が除去されたレベル調整後映像信号１０２をフィルタリング後映像信号１０３として加算部７へ出力する。
【００３６】
同期信号発生部５は、映像の同期信号を発生させる。
【００３７】
以下に、上記のように構成されたテレビカメラにおいて映像レベルを調整する動作について説明する。
【００３８】
図３は、図１に示したテレビカメラにおいて映像レベルを調整する動作を説明するためのフローチャートである。
【００３９】
まず、測光ゲート信号生成部６は、制御部４から出力された測光エリア情報１０７と、同期信号発生部５から出力された同期信号１０９とに基づき、境界部分５４（図２参照）にディザ処理を施し（ステップＳ１）、ディザ処理を施すことによって発生させた測光ゲート信号を加算部７へ出力する（ステップＳ２）。
【００４０】
一方で映像レベル調整部２は、映像入力部１から出力された映像信号１０１を制御部４が設定した映像レベル調整値１０４に応じて調整し、レベル調整後映像信号１０２としてＬＰＦ３へ出力する。
【００４１】
ＬＰＦ３は、映像レベル調整部２から出力されたレベル調整後映像信号１０２から、測光ゲート信号生成部６が発生させる測光ゲート信号１０８のクロックレート以上の周波数に相当する映像高周波成分を除去する。そして、映像高周波成分が除去されたレベル調整後映像信号１０２をフィルタリング後映像信号１０３として加算部７へ出力する（ステップＳ３）。
【００４２】
加算部７は、ＬＰＦ３からフィルタリング後映像信号１０３の出力を受けると、同期信号発生部５から出力された同期信号１０９と、測光ゲート信号生成部６から出力された測光ゲート信号１０８とに基づき、境界部分５４に存在する画素の中から測光画素を決定する。そして、映像信号加算値１０５及び測光画素数１０６を１画面毎に算出する（ステップＳ４）。
【００４３】
図４は、図１に示した加算部７が映像信号加算値１０５及び測光画素数１０６を算出する過程の一例を説明するための図である。
【００４４】
図４においてＶ0〜Ｖ20は、境界部分５４内に存在するそれぞれの画素の映像信号値である。
【００４５】
測光ゲート信号生成部６が境界部分５４にディザ処理を施すことによって発生させた測光ゲート信号１０８は図４に示すように、「測光する」または「測光しない」を示す１ビット幅のゲート信号となる。ここでは、ビット値「１」を「測光する」とし、ビット値「０」を「測光しない」としている。
【００４６】
加算部７は、図４に示すように測光ゲート信号１０８のビット値が「１」に対応する画素の映像信号値を合計して映像信号加算値１０５とする。例えば、図４において、測光ゲート信号１０８のビット値が「１」に対応する画素の映像信号値は、Ｖ0，Ｖ1，Ｖ2，Ｖ4，Ｖ6，Ｖ8，Ｖ10，Ｖ12，Ｖ14，Ｖ18なので、これら１０個の映像信号値を加算した加算合計値が映像信号加算値１０５となる。
【００４７】
また、加算部７は、図４に示すように測光ゲート信号１０８のビット値が「１」に対応するフィルタリング後映像信号１０３の画素の数の合計を測光画素数１０６とする。例えば、図４において、測光ゲート信号１０８のビット値が「１」であるのは１０個なので、この１０が測光画素数１０６となる。なお、映像信号加算値１０５及び測光画素数１０６は、上述したように、１画面毎に算出される。
【００４８】
そして、加算部７は、算出した１画面毎の映像信号加算値１０５及び測光画素数１０６を制御部４へ出力する（ステップＳ５）。
【００４９】
加算部７から１画面毎の映像信号加算値１０５及び測光画素数１０６の出力を受けた制御部４は、出力を受けた映像信号加算値１０５及び測光画素数１０６から画面平均値を算出する（ステップＳ６）。
【００５０】
そして、制御部４は、算出した画面平均値が所定の値と一致するように映像レベル調整値１０４を設定して映像レベル調整部２へ出力する（ステップＳ７）。
【００５１】
映像レベル調整部２は、制御部４から出力された映像レベル調整値１０４に応じて映像信号１０１の映像レベルを調整する（ステップＳ８）
このように本実施形態においては、測光エリアとマスクエリアとの境界線を含む境界部分に存在する画素の中から、輝度を測定する測光画素を決定し、決定された測光画素の数である測光画素数と、決定された測光画素の映像信号値の加算合計値である映像信号加算値とに基づいて測光エリア内の映像レベルを調整する。そのため、映像レベルの調整のための乗算回路が不要であり、回路の規模を大きくすることなく、測光エリアにおける映像レベルの急激な変化が出力される映像に反映されるのを回避することができる。これにより、高輝度や低輝度の被写体が測光エリアとマスクエリアとの境界線を越えて、測光エリアに移動してきた場合でも、測光エリア内の映像レベルが連続的に変化するようになり、出力される映像が見づらくなることがない。
【００５２】
なお、本発明においては、映像レベル調整装置内の処理は上述の専用のハードウェアにより実現されるもの以外に、その機能を実現するためのプログラムを映像レベル調整装置にて読取可能な記録媒体に記録し、この記録媒体に記録されたプログラムを映像レベル調整装置に読み込ませ、実行するものであっても良い。映像レベル調整装置にて読取可能な記録媒体とは、フロッピーディスク、光磁気ディスク、ＤＶＤ、ＣＤなどの移設可能な記録媒体の他、映像レベル調整装置に内蔵されたＨＤＤなどを指す。
【符号の説明】
【００５３】
１    映像入力部
２    映像レベル調整部
３    ＬＰＦ
４    制御部
５    同期信号発生部
６    測光ゲート信号生成部
７    加算部
５０    撮像領域
５１    測光エリア
５２    マスクエリア
５３    境界線
５４    境界部分
１０１    映像信号
１０２    レベル調整後映像信号
１０３    フィルタリング後映像信号
１０４    映像レベル調整値
１０５    映像信号加算値
１０６    測光画素数
１０７    測光エリア情報
１０８    測光ゲート信号
１０９    同期信号
【図１】
2010166500.tif 000003
【図３】
2010166500.tif 000004
【図４】
2010166500.tif 000005
【図７】
2010166500.tif 000006
【図２】
2010166500.tif 000007
【図５】
2010166500.tif 000008
【図６】
2010166500.tif 000009